(57)【要約】【課題】いわゆるカンガルーポケット式の操作ユニットとこれを備える加熱調理器において、分解、組み立て等の作業を効率化する。【解決手段】操作ユニット３は、操作本体部４１と蓋４２とフレーム５を備える。操作本体部４１は、操作パネル部４１０と一対の側壁４１１を有する。蓋４２は、操作本体部４１に着脱自在に装着される。フレーム５は、支軸部５５を一体に有し、支軸部５５に操作本体部４１と蓋４２が回転自在に連結される。各側壁４１１は、第一嵌め込み孔４１５とこれを径方向外側に向けて開放する第一切欠部４１７を有する。蓋４２は、第二嵌め込み孔４２５とこれを径方向外側に向けて開放する第二切欠部４２７を有する。操作本体部４１に蓋４２が装着された状態で、第一切欠部４１７が第一嵌め込み孔４１５を開放する第一方向Ｄ１と、第二切欠部４２７が第二嵌め込み孔４２５を開放する第二方向Ｄ２が、互いに相違する。【選択図】図６
2019113274.tif 000002
【特許請求の範囲】
【請求項１】
使用者が機器操作を行うために用いる操作ユニットであって、
操作パネル部とこれの左右両側の部分から延長された一対の側壁を有する操作本体部と、
前記操作パネル部と前記一対の側壁で囲まれる空間の前方を塞ぐように前記操作本体部に着脱自在に装着される蓋と、
支軸部を一体に有し、前記支軸部に対して前記操作本体部と前記蓋が回転自在に連結されるフレームと、を備え、
前記一対の側壁の各々は、前記支軸部の一部に回転自在に嵌る第一嵌め込み孔と、前記第一嵌め込み孔をその径方向外側に向けて開放する第一切欠部と、を有し、
前記蓋は、前記支軸部の別の一部に回転自在に嵌る第二嵌め込み孔と、前記第二嵌め込み孔をその径方向外側に向けて開放する第二切欠部と、を有し、
前記操作本体部に前記蓋が装着された状態において、前記第一切欠部が前記第一嵌め込み孔を開放する第一方向と、前記第二切欠部が前記第二嵌め込み孔を開放する第二方向が、互いに相違する
ことを特徴とする操作ユニット。
【請求項２】
前記操作本体部が、その回転範囲のうち最後部に位置し、かつ、前記操作本体部に前記蓋が装着された状態において、
前記第一方向は、前記第二方向よりも後側を向くように設けられている
ことを特徴とする請求項１に記載の操作ユニット。
【請求項３】
前記支軸部に対して回転自在に連結される外蓋を、さらに備え、
前記外蓋は、前記支軸部のさらに別の一部に回転自在に嵌る第三嵌め込み孔と、前記第三嵌め込み孔をその径方向外側に向けて開放する第三切欠部と、を有し、
前記外蓋は、前記蓋の前方を覆うように、前記操作本体部に着脱自在に装着される
ことを特徴とする請求項１または２に記載の操作ユニット。
【請求項４】
前記操作本体部に、前記蓋と前記外蓋が装着された状態において、
前記第三切欠部が前記第三嵌め込み孔を開放する第三方向が、前記第一方向と相違する
ことを特徴とする請求項３に記載の操作ユニット。
【請求項５】
前記操作本体部が、その回転範囲のうち最後部に位置し、かつ、前記操作本体部に前記蓋と前記外蓋が装着された状態において、
前記第一方向は、前記第二方向と前記第三方向よりも後側を向くように設けられている
ことを特徴とする請求項４に記載の操作ユニット。
【請求項６】
前記操作本体部に、前記蓋と前記外蓋が装着された状態において、前記支軸部の軸方向から視たとき、
前記第一切欠部と前記第二切欠部と前記第三切欠部は、互いに周方向ずれて位置する
ことを特徴とする請求項３に記載の操作ユニット。
【請求項７】
前記一対の側壁の各々は、前記第一嵌め込み孔と前記第一切欠部が形成された第一係合片を有し、
前記蓋は、前記第二嵌め込み孔と前記第二切欠部が形成された第二係合片を、左右に一対有し、
前記支軸部の左右両側の部分には、規制部が設けられ、
前記規制部と前記フレームの側枠との間に、前記支軸部に連結された前記第一係合片と前記第二係合片が挟み込まれる
ことを特徴とする請求項１または２に記載の操作ユニット。
【請求項８】
前記一対の側壁の各々は、前記第一嵌め込み孔と前記第一切欠部が形成された第一係合片を有し、
前記蓋は、前記第二嵌め込み孔と前記第二切欠部が形成された第二係合片を、左右に一対有し、
前記外蓋は、前記第三嵌め込み孔と前記第三切欠部が形成された第三係合片を、左右に一対有し、
前記支軸部の左右両側の部分には、規制部が設けられ、
前記規制部と前記フレームの側枠との間に、前記支軸部に連結された前記第一係合片、前記第二係合片および前記第三係合片が挟み込まれる
ことを特徴とする請求項３から６のいずれか一項に記載の操作ユニット。
【請求項９】
略円柱状である前記支軸部の外周面の一部は、互いに反対側を向く一対の平坦面で構成され、
前記一対の平坦面の各々には、パーティングラインが形成されている
ことを特徴とする請求項１から８のいずれか一項に記載の操作ユニット。
【請求項１０】
請求項１から９のいずれか一項に記載の操作ユニットと、
前記操作ユニットが装着される加熱調理器本体と、を具備し、
前記操作ユニットは、使用者が前記加熱調理器本体での加熱調理を操作するために用いられる
ことを特徴とする加熱調理器。
【発明の詳細な説明】
【技術分野】
【０００１】
本発明は、操作ユニットおよびこれを備えた加熱調理器に関する。
【背景技術】
【０００２】
従来、いわゆるカンガルーポケット式の操作ユニットが知られている。この種の操作ユニットは、フレームとこれに回転自在に支持される回転体を備える。回転体には、操作本体部と蓋が含まれる。操作本体部には、機器操作用の各種のボタンが設けられている。蓋は、この操作本体部の前面を覆うように装着される（特許文献１等参照）。
【０００３】
操作ユニットのフレームに対して、操作本体部と蓋を連結させるために、フレームに対して一本のシャフト（枢支軸）を左右に挿し通すことが行われる。この一本のシャフトが、操作本体部が有する丸孔に挿し通され、かつ、蓋が有する丸孔に挿し通されることで、操作本体部と蓋が、シャフトを介してフレームに回転自在に支持される。
【先行技術文献】
【特許文献】
【０００４】
【特許文献１】特開２０１４−４４０３０号公報
【発明の概要】
【発明が解決しようとする課題】
【０００５】
上記した従来の操作ユニットにおいて、操作ユニットを分解する際には、フレームから一旦シャフトを抜き取る必要があり、再び組み立てる際には、シャフトをフレームに対して左右に挿し通す必要があった。そのため、従来の操作ユニットはメンテナンス性が良好でなかった。
【０００６】
本発明は、いわゆるカンガルーポケット式の操作ユニットとこれを備える加熱調理器において、分解、組み立て等の作業を効率化してメンテナンス性を向上させることを、目的とする。
【課題を解決するための手段】
【０００７】
本発明の一様態に係る操作ユニットは、使用者が機器操作を行うために用いる操作ユニットであって、操作パネル部とこれの左右両側の部分から延長された一対の側壁を有する操作本体部と、前記操作パネル部と前記一対の側壁で囲まれる空間の前方を塞ぐように前記操作本体部に着脱自在に装着される蓋と、支軸部を一体に有し、前記支軸部に対して前記操作本体部と前記蓋が回転自在に連結されるフレームと、を備える。
【０００８】
前記一対の側壁の各々は、前記支軸部の一部に回転自在に嵌る第一嵌め込み孔と、前記第一嵌め込み孔をその径方向外側に向けて開放する第一切欠部と、を有する。
【０００９】
前記蓋は、前記支軸部の別の一部に回転自在に嵌る第二嵌め込み孔と、前記第二嵌め込み孔をその径方向外側に向けて開放する第二切欠部と、を有する。
【００１０】
前記操作本体部に前記蓋が装着された状態において、前記第一切欠部が前記第一嵌め込み孔を開放する第一方向と、前記第二切欠部が前記第二嵌め込み孔を開放する第二方向が、互いに相違する。
【００１１】
本発明の一様態に係る加熱調理器は、前記操作ユニットと、前記操作ユニットが装着される加熱調理器本体と、を具備する。前記操作ユニットは、使用者が前記加熱調理器本体での加熱調理を操作するために用いられる。
【発明の効果】
【００１２】
本発明は、いわゆるカンガルーポケット式の操作ユニットとこれを備える加熱調理器において、分解、組み立て等の作業を効率化してメンテナンス性を向上させることができるという効果を奏する。
【図面の簡単な説明】
【００１３】
【図１】図１は、一実施形態の加熱調理器の正面図である。
【図２】図２は、同上の加熱調理器が備える操作ユニットの斜視図である。
【図３】図３は、同上の操作ユニットの別の斜視図である。
【図４】図４は、同上の操作ユニットの操作パネル部を前方に露出させた状態の斜視図である。
【図５】図５は、同上の操作ユニットの分解斜視図である。
【図６】図６は、同上の操作ユニットの分解側面図である。
【図７】図７は、図１のＡ−Ａ線断面図である。
【図８】図８は、図１のＢ−Ｂ線断面図である。
【図９】図９は、図１のＣ−Ｃ線断面図である。
【図１０】図１０は、同上の操作ユニットの要部側面図である。
【図１１】図１１は、同上の操作ユニットが備えるフレームの正面図である。
【図１２】図１２は、同上の加熱調理器の変形例の要部断面図である。
【発明を実施するための形態】
【００１４】
（一実施形態）
図１には、一実施形態の加熱調理器９の全体を示している。一実施形態の加熱調理器９は、ビルトイン式のグリル付きガスこんろであり、図示略のキッチンキャビネットに組み込まれる加熱調理器本体１と、加熱調理器本体１に一体に装着された複数（この実施形態では二つ）の操作ユニット３を備える。
【００１５】
加熱調理器本体１は、加熱部１２を有する。加熱部１２は、複数（この実施形態では三つ）のこんろバーナ１３と、グリル部１４を含む。複数のこんろバーナ１３は、加熱調理器本体１のトッププレート１１に、互いに距離をあけて設置されている。
【００１６】
グリル部１４は、加熱調理器本体１の前面に開口するように形成されたグリル庫１４１と、加熱調理器本体１の前面に設置され、グリル庫１４１を開閉するように構成されたグリル扉１４３を備える。
【００１７】
加熱部１２の形態はこれに限定されず、加熱部１２がグリル部１４を備えないこと、或いは、グリル部１４だけで構成されることも有り得る。また、加熱部１２が、電熱線等で構成された電気こんろを備えることや、ＩＨ（Induction Heating）式の加熱器を備えることも有り得る。加熱調理器９はビルトイン式に限定されず、据置型でもよい。
【００１８】
本文中では、加熱調理器本体１に対して、加熱調理を行う利用者が位置する方向を前方向、これの逆方向を後方向と定義する。左右方向については、加熱調理器本体１を利用するときの使用者の視点を基準として左方向と右方向を定義する。
【００１９】
加熱調理器本体１の前面において、グリル扉１４３を挟んだ左右の両側に、いわゆるカンガルーポケット式の操作ユニット３が設置されている。左側の操作ユニット３と、右側の操作ユニット３は、その基本構造が共通している。
【００２０】
つまり、左右の操作ユニット３において、下半部には、操作パネル部４１０（図３、図４等参照）を含む回転体４が設けられている。左側の操作ユニット３の上半部には、こんろ用の点消火操作部７１が二箇所に設けられ、右側の操作ユニット３の上半部には、こんろ用の点消火操作部７１とグリル用の点消火操作部７２が設けられている。
【００２１】
操作パネル部４１０は、不要時には、操作ユニット３の内部に収容されて視認不能となるように、回転体４ごと後方に退避させておく。操作パネル部４１０が必要なときには、回転体４ごと前方に回転移動させて、使用者側に露出させることができる。
【００２２】
つまり、図２、図３等に示すように、回転体４がその前後の回転範囲のうち最後部の位置（以下「閉位置Ｐ１」）にあるとき、操作パネル部４１０は操作ユニット３の内部に収容される。図４に示すように、回転体４がその前後の回転範囲のうち最前部の位置（以下「開位置Ｐ２」）にあるとき、操作パネル部４１０は操作ユニット３の前方に露出する。
【００２３】
操作パネル部４１０は、加熱部１２での加熱調理の設定を行うことのできる各種のボタンを備える。加熱調理の設定は、たとえば、各こんろバーナ１３の加熱モード（おかゆモード、ご飯モード、湯沸しモード等）の設定、グリル庫１４１に備えられる図示略のグリルバーナの加熱モード（姿焼モード、切身モード、干物モード等）の設定である。
【００２４】
次に、操作ユニット３のより具体的な構造について説明する。
【００２５】
前述したように、左右の操作ユニット３は共通の基本構造を有するので、以下においては、右側の操作ユニット３に基づいて、操作ユニット３のより具体的な構造を説明する。
【００２６】
図２から図１１には、右側の操作ユニット３の全体または要部を示している。操作ユニット３は、回転体４、フレーム５、およびコイル状のばね部材６（図５参照）を備える。操作ユニット３は、矩形枠状に設けられた金属製の筐体２を介して、加熱調理器本体１の前部に一体に組み込まれる。
【００２７】
図５、図６等に示すように、回転体４は、操作パネル部４１０を有する操作本体部４１と、操作本体部４１に装着される蓋４２と、蓋４２をさらに覆うように操作本体部４１に装着される外蓋４３を備える。蓋４２は、外蓋４３を外した状態でも操作本体部４１内の機器類を隠すための内蓋として機能する。
【００２８】
操作本体部４１は、平板状の操作パネル部４１０に加えて、操作パネル部４１０の左右両側の部分（左右両端部）から下方に延長された一対の側壁４１１と、一対の側壁４１１の各々の下端部に形成されたＣ字状の第一係合片４１３を有する。
【００２９】
第一係合片４１３には、第一嵌め込み孔４１５と、第一嵌め込み孔４１５に連通する第一切欠部４１７が、形成されている。
【００３０】
第一嵌め込み孔４１５は、フレーム５が有する左右の支軸５５１の一方に対して回転自在に嵌るように、その径方向の寸法が設定されている。第一切欠部４１７は、第一嵌め込み孔４１５をその径方向外側に向けて開放する。
【００３１】
Ｃ字状である第一係合片４１３は、第一切欠部４１７の開口を広げるように弾性変形可能である。
【００３２】
蓋４２は、操作本体部４１の内部空間（操作パネル部４１０と左右の側壁４１１で囲まれる空間）の前方を塞ぐように、操作パネル部４１０に対して着脱自在に装着される。蓋４２は、左右の支軸５５１に対して回転自在に嵌る左右一対の第二係合片４２３と、操作パネル部４１０の前端部分に対して着脱自在に連結される左右一対の弾性片４２１を有する。
【００３３】
第二係合片４２３には、第二嵌め込み孔４２５と、第二嵌め込み孔４２５に連通する第二切欠部４２７が、形成されている。
【００３４】
第二嵌め込み孔４２５は、左右の支軸５５１の一方に対して回転自在に嵌るように、その径方向の寸法が設定されている。第二切欠部４２７は、第二嵌め込み孔４２５をその径方向外側に向けて開放するように設けられている。
【００３５】
第二嵌め込み孔４２５と第二切欠部４２７が形成された第二係合片４２３は、その外形がＣ字状となっている。第二係合片４２３は、第二切欠部４２７の開口を広げるように弾性変形可能である。
【００３６】
外蓋４３は、操作本体部４１に装着された蓋４２の前方をさらに塞ぐように、操作本体部４１に対して着脱自在に装着される。外蓋４３は、左右の支軸５５１に対して回転自在に嵌る左右一対の第三係合片４３３と、左右の側壁４１１の前端部分に対して着脱自在に係止される左右一対の弾性片４３１を有する。
【００３７】
第三係合片４３３には、第三嵌め込み孔４３５と、第三嵌め込み孔４３５に連通する第三切欠部４３７が、形成されている。
【００３８】
第三嵌め込み孔４３５は、左右の支軸５５１の一方に対して回転自在に嵌るように、その径方向の寸法が設定されている。第三切欠部４３７は、第三嵌め込み孔４３５をその径方向外側に向けて開放するように設けられている。
【００３９】
第三嵌め込み孔４３５と第三切欠部４３７が形成された第三係合片４３３は、その外形がＣ字状となっている。第三係合片４３３は、第三切欠部４３７の開口を広げるように弾性変形可能である。
【００４０】
外蓋４３が有する各弾性片４３１は、操作本体部４１に係止するように構成されているが、操作本体部４１ではなく蓋４２に係止するように構成されてもよい。この場合、外蓋４３は、蓋４２を介して操作本体部４１に間接的に係止される。
【００４１】
フレーム５は、筐体２を介して、加熱調理器本体１の前部に装着される。フレーム５は、全体が矩形枠状の外形を有するように、樹脂材料を用いて成形されている。図１１等に示すように、フレーム５は、左右の側枠５１と、左右の側枠５１の下部同士をつなぐ底枠５２を備える。
【００４２】
底枠５２の前端部には、樹脂製の支軸５５１が、左右の両側において一体に成形されている。左右方向を軸方向とする両側の支軸５５１によって、回転体４を取り付けるための支軸部５５が構成されている。なお、支軸部５５が左右に分断されることは必須ではなく、左右方向を軸方向とする一本の支軸で支軸部５５が構成されてもよい。
【００４３】
一実施形態の操作ユニット３においては、左右の支軸５５１に対して、操作本体部４１が有するＣ字状の第一係合片４１３と、蓋４２が有するＣ字状の第二係合片４２３と、外蓋４３が有するＣ字状の第三係合片４３３がいずれも回転自在に嵌ることで、左右方向に伸びる仮想的な中心軸Ｃ１（図１１参照）まわりに、回転体４が回転自在に支持される。
【００４４】
操作本体部４１に対して蓋４２と外蓋４３が装着された状態において、操作本体部４１、蓋４２および外蓋４３で構成された回転体４は、フレーム５に対して一体に回転する。回転体４が閉位置Ｐ１にあるとき、蓋４２と外蓋４３は、鉛直方向に起立した姿勢となる。このとき、外蓋４３の前面は、操作ユニット３の下半部の前面を構成する。
【００４５】
図５に示すように、ばね部材６は、底枠５２の前端部に装着される。ばね部材６は、ばね部材６の主体を構成する円筒状のコイル６０と、コイル６０の左右の一端から延長された第一アーム６１と、コイル６０の左右の他端から延長された第二アーム６２を備える。コイル６０と第一アーム６１と第二アーム６２は、いずれも弾性を有する。
【００４６】
第一アーム６１が底枠５２に当たり、第二アーム６２が蓋４２に当たることで、ばね部材６は、回転体４に対して、前方（開方向）への付勢力を与える。
【００４７】
なお、回転体４には、ばね部材６によって前方への付勢力が与えられるが、フレーム５に設けられたラッチ機構５９に対して、蓋４２の後面に設けられたストライカ４２９（図６参照）が係合しているときには、回転体４は閉位置Ｐ１に保持される。
【００４８】
ラッチ機構５９とストライカ４２９の係合状態と非係合状態は、ラッチ機構５９にストライカ４２９が押し込まれる毎に切り替わる。回転体４が閉位置Ｐ１にあるとき、使用者が外蓋４３の前面を押すことで、ラッチ機構５９とストライカ４２９の係合が解除され、回転体４は開位置Ｐ２に至るまで前方に回転する。回転体４が開位置Ｐ２にあるときに、使用者が外蓋４３を押して回転体４を後方に回転させると、ラッチ機構５９とストライカ４２９が再び係合し、回転体４は閉位置Ｐ１で保持される。
【００４９】
上述したように、一実施形態の操作ユニット３において、回転体４の要部をなす操作本体部４１は、支軸５５１の一部に着脱自在に連結するＣ字状の第一係合片４１３を有する。蓋４２は、支軸５５１の別の部分に着脱自在に連結するＣ字状の第二係合片４２３を有する。外蓋４３は、支軸５５１のさらに別の部分に着脱自在に連結するＣ字状の第三係合片４３３を有する。
【００５０】
一実施形態の操作ユニット３では、たとえばメンテナンス等の都合で回転体４を取り外す際に、フレーム５から外蓋４３、蓋４２および操作本体部４１をこの順で簡単に取り外すことができる。そのため、上記した従来の操作ユニットのように、一旦シャフトを取り外す必要がなくて作業性が良好である。
【００５１】
回転体４を装着するときには、フレーム５に対して操作本体部４１、蓋４２および外蓋４３をこの順で簡単に取り付けることができ、従来の操作ユニットのように、各部材４１，４２，４３を貫通するようにシャフトを挿し通す必要がなく、作業性が良好である。
【００５２】
一実施形態の操作ユニット３では、操作本体部４１に蓋４２と外蓋４３が装着された状態で左右方向（支軸部５５の軸方向）から視たときに、図６から図１０に示す第一方向Ｄ１と第二方向Ｄ２と第三方向Ｄ３が、互いに相違するように設けられている。
【００５３】
第一方向Ｄ１は、操作本体部４１の下端部に形成された第一切欠部４１７が、第一嵌め込み孔４１５をその径方向外側に開放する方向である。第二方向Ｄ２は、蓋４２の下端部に形成された第二切欠部４２７が、第二嵌め込み孔４２５をその径方向外側に開放する方向である。第三方向Ｄ３は、外蓋４３の下端部に形成された第三切欠部４３７が、第三嵌め込み孔４３５をその径方向外側に開放する方向である。
【００５４】
閉位置Ｐ１にある操作本体部４１に対して蓋４２と外蓋４３が装着された状態において、第一方向Ｄ１は斜め下後方を向き、第二方向Ｄ２と第三方向Ｄ３は、第一方向Ｄ１よりも下方を向くように設けられている。第一方向Ｄ１と第二方向Ｄ２は４５°程度相違し、第一方向Ｄ１と第三方向Ｄ３も４５°程度相違する。
【００５５】
一実施形態の操作ユニット３では、第二方向Ｄ２のほうが第三方向Ｄ３よりも下方を向くように設けられているが、第三方向Ｄ３のほうが第二方向Ｄ２よりも下方を向くように設けられてもよい。或いは、第二方向Ｄ２と第三方向Ｄ３が一致するように設けられてもよい。本文中で用いる一致の文言は、厳密な意味での一致に限定されず、略一致の場合も含む。
【００５６】
第一から第三方向Ｄ１，Ｄ２，Ｄ３が上記のように互いに相違することで、操作本体部４１に蓋４２と外蓋４３が装着された状態において、回転体４がフレーム５から不意に外れることが、効果的に抑制される。
【００５７】
操作本体部４１に蓋４２と外蓋４３が装着された状態の回転体４を、左右方向から視たとき、第一から第三切欠部４１７，４２７，４３７は、互いに周方向ずれて位置する（図１０参照）。第一切欠部４１７のうち、第二切欠部４２７と第三切欠部４３７の両方に連通する部分の開口幅Ｗ１５は、第一切欠部４１７の開口幅Ｗ１の２０％程度である。第一から第三嵌め込み孔４１５，４２５，４３５は、左右方向から視たときに一致する。
【００５８】
そのため、支軸部５５に対して第一から第三係合片４１３，４２３，４３３が連結され、かつ、操作本体部４１に対して蓋４２と外蓋４３が装着された状態では、第一から第三係合片４１３，４２３，４３３が、互いの抜けやすさを補うように機能することによって、回転体４が不意に支軸部５５から外れることが抑制される。
【００５９】
開口幅Ｗ１５の開口幅Ｗ１に対する割合は２０％程度に限定されず、この割合を３０％以下の範囲内で設定することも可能であるし、あるいは４０％以下、５０％以下の範囲内で設定することも可能である。勿論、開口幅Ｗ１５がゼロとなるように、第一から第三切欠部４１７，４２７，４３７の周方向のずれが設定されてもよい。本文中で用いる開口幅Ｗ１５，Ｗ１は、第一から第三嵌め込み孔４１５，４２５，４３５の径方向外側から視たときの開口幅を意味する。
【００６０】
ここで、一実施形態の操作ユニット３において、第一方向Ｄ１は、第二方向Ｄ２と第三方向Ｄ３よりも後側を向くように設けられている。そのため、フレーム５に対して操作本体部４１、蓋４２および外蓋４３をこの順で取り付ける際には、操作パネル部４１０と一対の側壁４１１を含んだ比較的大型の操作本体部４１を、フレーム５の左右の側枠５１間のスペースに前方から挿し込んで支軸部５５に連結させ、プレート状である蓋４２と外蓋４３は、上方または斜め上方から挿し込むようにして支軸部５５に連結させることができる。
【００６１】
フレーム５から外蓋４３、蓋４２および操作本体部４１をこの順で取り外す際には、プレート状の外蓋４３と蓋４２を上方または斜め上方に引き抜くようにして支軸部５５から取り外し、操作本体部４１を、前方に引き抜くようにして支軸部５５から簡単に取り外すことができる。
【００６２】
ところで、支軸部５５に連結されるＣ字状の第一係合片４１３は弾性を有するので、自身が変形して第一切欠部４１７の開口が広がっていると、支軸部５５から不意に外れやすくなる。同様に、弾性を有するＣ字状の第二係合片４２３と第三係合片４３３においても、自身が変形していると支軸部５５から不意に外れやすくなる。
【００６３】
これに対して、一実施形態の操作ユニット３では、支軸部５５の左右両側の部分に、第一から第三係合片４１３，４２３，４３３を側方から押さえるための規制部５７を設けている。具体的には、支軸部５５が備える左右両側の支軸５５１に、それぞれ突起状の規制部５７を設けている。規制部５７は支軸５５１と一体に成形されているが、規制部５７と支軸５５１が別体でもよい。
【００６４】
左側の規制部５７は、左側の支軸５５１に連結された状態にある第一から第三係合片４１３，４２３，４３３を、フレーム５の左側の側枠５１との間で左右に挟み込むように構成されている。右側の規制部５７は、右側の支軸５５１に連結された状態にある第一から第三係合片４１３，４２３，４３３を、フレーム５の右側の側枠５１との間で左右に挟み込むように構成されている。
【００６５】
これにより、左右の両方において第一から第三係合片４１３，４２３，４３３が意図せず変形することが抑えられ、ひいては、操作本体部４１、蓋４２および外蓋４３がフレーム５から不意に外れることが一層抑制される。
【００６６】
一実施形態の操作ユニット３において、操作本体部４１の第一係合片４１３は、側枠５１と規制部５７の間に位置する支軸５５１のうち、左右方向の外側部分（側枠５１に近い側の部分）に連結される。蓋４２の第二係合片４２３は、支軸５５１のうち左右方向の内側部分（規制部５７に近い側の部分）に連結される。外蓋４３の第三係合片４３３は、支軸５５１のうち左右方向の中央部分に連結される。
【００６７】
つまり、一実施形態の操作ユニット３では、第一係合片４１３、第三係合片４３３および第二係合片４２３が、左右方向の外側から内側へとこの順で並ぶように支軸５５１に連結されるが、第一から第三係合片４１３，４２３，４３３の並びはこれに限定されない。
【００６８】
（変形例）
次に、上記した一実施形態の操作ユニット３の各種の変形例について説明する。
【００６９】
図１２に示す変形例では、支軸部５５を構成する樹脂製の各支軸５５１に、いわゆるＤカットが設けられている。この変形例では、略円柱状である支軸５５１の外周面の一部が、互いに反対側を向く一対の平坦面５５５で構成されている。各平坦面５５５には、左右方向に一直線状に伸びるパーティングライン５５７が、その平坦面５５５から突出するように設けられている。
【００７０】
射出成形の際に生じるパーティングライン５５７が、支軸５５１の外周面のうち平坦面５５５の領域に位置しているので、第一から第三係合片４１３，４２３，４３３は、支軸５５１まわりに円滑に回転可能である。
【００７１】
支軸５５１の径方向断面において、パーティングライン５５７の突先は、支軸５５１にＤカット（一対の平坦面５５５）が設けられていないと仮定したときの仮想円上に位置するか、またはこの仮想円よりも内側に位置することが、回転体４の円滑な回転のために好ましい。ここでの仮想円は、支軸５５１の外周面に一対の平坦面５５５が設けられず、その全体が同一曲率の凸曲面で構成されていると仮定したときの、支軸５５１の径方向断面の外周縁である。  一般的に、各支軸５５１にいわゆるＤカットが設けられていると、第一から第三係合片４１３，４２３，４３３の個々は、支軸５５１から抜けやすくなる。しかし、上記したように、第一から第三方向Ｄ１，Ｄ２，Ｄ３が互いに相違し、第一から第三切欠部４１７，４２７，４３７が周方向に互いにずれて位置しているので、第一から第三係合片４１３，４２３，４３３の全てが支軸５５１から抜けやすい状態になることが防止されている。
【００７２】
たとえば、図１２の回転位置では、第一方向Ｄ１が平坦面５５５と平行であるから、第一係合片４１３は支軸５５１から抜けやすい状態にある。しかし、第二方向Ｄ２と第三方向Ｄ３は、平坦面５５５に対して４５°程度傾いているので、第二係合片４２３と第三係合片４３３は、支軸５５１から抜けにくい状態にある。
【００７３】
つまり、図１２に示す変形例では、第一から第三係合片４１３，４２３，４３３が、パーティングライン５５７が形成された支軸部５５に円滑に回転可能に連結され、かつ、この支軸部５５から第一から第三係合片４１３，４２３，４３３が不意に抜けることは、効果的に防止されている。
【００７４】
また、一実施形態の操作ユニット３では、回転体４が外蓋４３を備えているが、外蓋４３を備えないことも有り得る。この場合には、第一係合片４１３と第二係合片４２３が、フレーム５の側枠５１と規制部５７の間に挟み込まれる。これにより、第一係合片４１３と第二係合片４２３が意図せず変形して支軸５５１から外れることが抑えられる。
【００７５】
一実施形態の操作ユニット３の他の構成においても、適宜に設計変更をすることや、適宜の公知技術を適用することが可能である。
【００７６】
一実施形態の操作ユニット３は、加熱調理器本体１を操作するためのものとして構成されているが、他の機器（一例として給湯器、暖房器、浄水器等）を操作するためのものとして構成されることも有り得る。
【００７７】
（作用効果）
以上、添付図面に基づいて説明したように、一実施形態の操作ユニット３は、使用者が機器操作を行うために用いられるものであって、第１の特徴として、下記の構成を備える。
【００７８】
一実施形態の操作ユニット３は、操作本体部４１と蓋４２とフレーム５を備える。操作本体部４１は、操作パネル部４１０とこれの左右両側の部分から延長された一対の側壁４１１を有する。蓋４２は、操作パネル部４１０と一対の側壁４１１で囲まれる空間の前方を塞ぐように、操作本体部４１に着脱自在に装着される。フレーム５は、支軸部５５を一体に有し、支軸部５５に対して操作本体部４１と蓋４２が回転自在に連結される。
【００７９】
一対の側壁４１１の各々は、支軸部５５の一部に回転自在に嵌る第一嵌め込み孔４１５と、第一嵌め込み孔４１５をその径方向外側に向けて開放する第一切欠部４１７を有する。蓋４２は、支軸部５５の別の一部に回転自在に嵌る第二嵌め込み孔４２５と、第二嵌め込み孔４２５をその径方向外側に向けて開放する第二切欠部４２７を有する。操作本体部４１に蓋４２が装着された状態において、第一切欠部４１７が第一嵌め込み孔４１５を開放する第一方向Ｄ１と、第二切欠部４２７が第二嵌め込み孔４２５を開放する第二方向Ｄ２が、互いに相違する。
【００８０】
したがって、一実施形態の操作ユニット３では、支軸部５５に対して操作本体部４１と蓋４２をそれぞれ簡単な作業で着脱することができ、いわゆるカンガルーポケット式の操作ユニット３の分解、組み立て等のメンテナンス性が向上する。しかも、操作本体部４１に蓋４２が装着されると、これらがフレーム５から不意に外れることは効果的に抑制される。
【００８１】
また、一実施形態の操作ユニット３は、第２の特徴として、下記の構成をさらに備える。
【００８２】
一実施形態の操作ユニット３では、操作本体部４１がその回転範囲のうち最後部に位置し、かつ、操作本体部４１に蓋４２が装着された状態において、第一方向Ｄ１は、第二方向Ｄ２よりも後側を向くように設けられている。
【００８３】
したがって、一実施形態の操作ユニット３では、まず操作本体部４１を前方から挿し込んでフレーム５に装着し、その後に、これよりも上方から蓋４２を挿し込んでフレーム５に装着することができる。
【００８４】
また、一実施形態の操作ユニット３は、第３の特徴として、下記の構成をさらに備える。
【００８５】
一実施形態の操作ユニット３は、支軸部５５に対して回転自在に連結される外蓋４３を、さらに備える。外蓋４３は、支軸部５５のさらに別の一部に回転自在に嵌る第三嵌め込み孔４３５と、第三嵌め込み孔４３５をその径方向外側に向けて開放する第三切欠部４３７を有する。外蓋４３は、蓋４２の前方を覆うように、操作本体部４１に着脱自在に装着される。なお、外蓋４３が操作本体部４１に装着されることは、外蓋４３が操作本体部４１に対して直接的に装着されることに限定されず、外蓋４３が操作本体部４１に対して蓋４２を介して間接的に装着されることも含む。
【００８６】
したがって、一実施形態の操作ユニット３では、支軸部５５に対して操作本体部４１、蓋４２および外蓋４３をそれぞれ簡単な作業で着脱することができ、いわゆるカンガルーポケット式の操作ユニット３の分解、組み立て等のメンテナンス性が向上する。しかも、操作本体部４１に蓋４２と外蓋４３が装着されると、これらがフレーム５から不意に外れることは効果的に抑制される。
【００８７】
また、一実施形態の操作ユニット３は、第４の特徴として、下記の構成をさらに備える。
【００８８】
一実施形態の操作ユニット３では、操作本体部４１に蓋４２と外蓋４３が装着された状態において、第三切欠部４３７が第三嵌め込み孔４３５を開放する第三方向Ｄ３が、第一方向Ｄ１と相違する。
【００８９】
したがって、一実施形態の操作ユニット３では、操作本体部４１に蓋４２と外蓋４３が装着された状態で、これらがフレーム５から不意に外れることがさらに効果的に抑制される。
【００９０】
また、一実施形態の操作ユニット３は、第５の特徴として、下記の構成をさらに備える。
【００９１】
一実施形態の操作ユニット３では、操作本体部４１がその回転範囲のうち最後部に位置し、かつ、操作本体部４１に蓋４２と外蓋４３が装着された状態において、第一方向Ｄ１は、第二方向Ｄ２と第三方向Ｄ３よりも後側を向くように設けられている。
【００９２】
したがって、一実施形態の操作ユニット３では、まず操作本体部４１を前方から挿し込んでフレーム５に装着し、その後に、これよりも上方から蓋４２と外蓋４３を挿し込んでフレーム５に装着することができる。
【００９３】
また、一実施形態の操作ユニット３は、第６の特徴として、下記の構成をさらに備える。
【００９４】
一実施形態の操作ユニット３では、操作本体部４１に蓋４２と外蓋４３が装着された状態において、支軸部５５の軸方向から視たとき、第一から第三切欠部４１７，４２７，４３７は、互いに周方向ずれて位置する。
【００９５】
したがって、一実施形態の操作ユニット３では、操作本体部４１に蓋４２と外蓋４３が装着された状態で、これらがフレーム５から不意に外れることが効果的に抑制される。
【００９６】
また、一実施形態の操作ユニット３は、第７の特徴として、下記の構成をさらに備える。
【００９７】
一実施形態の操作ユニット３において、一対の側壁４１１の各々は、第一嵌め込み孔４１５と第一切欠部４１７が形成された第一係合片４１３を有する。蓋４２は、第二嵌め込み孔４２５と第二切欠部４２７が形成された第二係合片４２３を、左右に一対有する。支軸部５５の左右両側の部分には、規制部５７が設けられている。規制部５７とフレーム５の側枠５１との間に、支軸部５５に連結された第一係合片４１３と第二係合片４２３が挟み込まれる。
【００９８】
したがって、一実施形態の操作ユニット３では、第一係合片４１３と第二係合片４２３が支軸部５５に連結された状態で意図せず変形することが抑えられ、これにより、操作本体部４１と蓋４２が不意に外れることが抑制される。
【００９９】
また、一実施形態の操作ユニット３は、第８の特徴として、下記の構成をさらに備える。
【０１００】
一実施形態の操作ユニット３において、一対の側壁４１１の各々は、第一嵌め込み孔４１５と第一切欠部４１７が形成された第一係合片４１３を有する。蓋４２は、第二嵌め込み孔４２５と第二切欠部４２７が形成された第二係合片４２３を、左右に一対有する。外蓋４３は、第三嵌め込み孔４３５と第三切欠部４３７が形成された第三係合片４３３を、左右に一対有する。支軸部５５の左右両側の部分には、規制部５７が設けられている。規制部５７とフレーム５の側枠５１との間に、支軸部５５に連結された第一係合片４１３、第二係合片４２３および第三係合片４３３が挟み込まれる。
【０１０１】
したがって、一実施形態の操作ユニット３では、第一係合片４１３と第二係合片４２３と第三係合片４３３が支軸部５５に連結された状態で意図せず変形することが抑えられ、これにより、操作本体部４１、蓋４２および外蓋４３が不意に外れることが抑制される。
【０１０２】
また、一実施形態の操作ユニット３は、第９の特徴として、下記の構成をさらに備える。
【０１０３】
一実施形態の操作ユニット３において、略円柱状である支軸部５５の外周面の一部は、互いに反対側を向く一対の平坦面５５５で構成されている。一対の平坦面５５５の各々には、パーティングライン５５７が形成されている。
【０１０４】
したがって、一実施形態の操作ユニット３では、成形の際に生じるパーティングライン５５７が、支軸部５５まわりの各部材４１，４２，４３の回転を阻害することが抑えられる。
【０１０５】
また、一実施形態の加熱調理器９は、上記した特徴を有する操作ユニット３と、操作ユニット３が装着される加熱調理器本体１を具備する。操作ユニット３は、使用者が加熱調理器本体１での加熱調理を操作するために用いられる。
【０１０６】
したがって、一実施形態の加熱調理器９によれば、加熱調理器本体１に装着された操作ユニット３の分解、組み立て等の作業を効率的に行うことができ、高いメンテナンス性が得られる。
【符号の説明】
【０１０７】
１  加熱調理器本体
３  操作ユニット
４１  操作本体部
４１０  操作パネル部
４１１  側壁
４１３  第一係合片
４１５  第一嵌め込み孔
４１７  第一切欠部
４２  蓋
４２３  第二係合片
４２５  第二嵌め込み孔
４２７  第二切欠部
４３  外蓋
４３３  第三係合片
４３５  第三嵌め込み孔
４３７  第三切欠部
５  フレーム
５１  側枠
５５  支軸部
５５５  平坦面
５５７  パーティングライン
５７  規制部
９  加熱調理器
【図１】
2019113274.tif 000003
【図２】
2019113274.tif 000004
【図３】
2019113274.tif 000005
【図４】
2019113274.tif 000006
【図５】
2019113274.tif 000007
【図６】
2019113274.tif 000008
【図７】
2019113274.tif 000009
【図８】
2019113274.tif 000010
【図９】
2019113274.tif 000011
【図１０】
2019113274.tif 000012
【図１１】
2019113274.tif 000013
【図１２】
2019113274.tif 000014